(57)【要約】【課題】盗難をより困難にしたセキュリティ性の高い保管庫を提供する。【解決手段】前面に扉３１を備える内箱３と、該内箱３を上方から収納自在な、上向きに開口する外箱２と、該外箱２内に設けられた、内箱３を昇降する昇降装置４と、該昇降装置４を制御するコントローラ５とを備え、該コントローラ５は、前記内箱３の上昇と下降とを指示する操作部と、少なくとも該操作部による上昇指示の操作を無効にすることができる操作制限手段とを有する。【選択図】  図１
2004324175.tif 000002
【特許請求の範囲】
【請求項１】
前面に扉を備える内箱と、
該内箱を上方から収納自在な、上向きに開口する外箱と、
該外箱内に設けられた、内箱を昇降する昇降装置と、
該昇降装置を制御するコントローラとを備え、
該コントローラは、前記内箱の上昇と下降とを指示する操作部と、少なくとも該操作部による上昇指示の操作を無効にすることができる操作制限手段とを有することを特徴とする保管庫。
【請求項２】
前記コントローラは、前記操作部で該内箱の上昇が指示されたときは、指示時点から所定時間経過後に、前記昇降装置による該内箱の上昇動作を開始するタイマ機能を持つことを特徴とする請求項１記載の保管庫。
【請求項３】
前記内箱の上昇端位置で、該内箱の下部が前記外箱に収納された状態になるようにし、
該外箱の前面のうち少なくとも該内箱の上昇端位置で、該内箱の扉にオーバーラップする部分に開閉自在な扉を設けるとともに、
該内箱の扉に、該外箱の扉用の上下方向に長手のカンヌキを固定し、該内箱の上昇端位置では、該カンヌキが該外箱の扉に形成した該カンヌキ用の係合部の上方に離脱し、該内箱が上昇端位置から下降したとき、該カンヌキが該係合部に係合して、該外箱の扉が閉鎖状態にロックされるようにしたことを特徴とする請求項１又は２記載の保管庫。
【発明の詳細な説明】
【０００１】
【発明の属する技術分野】
本発明は、貴重品や、薬品などを保管する保管庫に関する。
【０００２】
【従来の技術】
従来、貴重品や薬品等を、泥棒に盗まれないように、様々な錠を備えた保管庫が開発されている。
【０００３】
しかしながら、近年、泥棒がバール等により、無理矢理に保管庫の扉をこじ開ける等の盗難が相次いでいる。
【０００４】
【発明が解決しようとする課題】
本発明は上記背景を鑑みてなされたものであり、バール等で扉をこじ開けることも不可能にしたセキュリティ性の高い保管庫を提供することを目的とする。
【０００５】
【課題を解決するための手段】
上記目的を達成するため、本発明の保管庫は、前面に扉を備える内箱と、該内箱を上方から収納自在な、上向きに開口する外箱と、該外箱内に設けられた、内箱を昇降する昇降装置と、該昇降装置を制御するコントローラとを備え、該コントローラは、前記内箱の上昇と下降とを指示する操作部と、少なくとも該操作部による上昇指示の操作を無効にすることができる操作制限手段とを有することを特徴とする。
【０００６】
かかる構成によれば、前記内箱が、常時は、外箱の中に収納されることになり、泥棒がバール等で内箱の扉をこじ開けることは困難である。そして、前記操作制限手段による操作部の無効化を解除しない限り内箱を上昇させることはできず、盗みを断念するように泥棒の気持ちを傾けることができる。
【０００７】
また、操作部で該内箱の上昇が指示されたときは、指示時点から所定時間経過後に、前記昇降装置による該内箱の上昇動作を開始するタイマ機能を、コントローラに持たせることが好ましい。これによれば、泥棒は、保管庫を解錠するにあたって、まず、コントローラの操作制限手段を解除し、その後、コントローラにより、内箱の上昇指示を出して、内箱を上昇させなければならない。しかしながら、コントローラにより内箱の上昇の指示を行っても、前記タイマ機能により、所定時間（どれだけの時間かは泥棒には分からない）を経過しなければ、昇降装置は作動せず、内箱は上昇しない。したがって、泥棒は、保管庫を解錠するにあたって、必ず、不明の待機時間に直面し、操作制限手段の解除に失敗したのではないかとの考えに至り、繰り返し、操作制限手段の解除を試みる。しかしながら、所定時間を経過するまで、昇降装置は作動せず、操作制限手段の解除に失敗したと結論付けた泥棒は、盗みをあきらめるようになる。
【０００８】
ところで、前記内箱の上昇端位置で、該内箱が前記外箱の上方に完全に押し出されずに、該内箱の下部が該外箱に収納された状態になるようにしておけば、該内箱の昇降ストロークが短くなり、前記昇降装置を小型化できて、有利である。しかし、このままでは、該外箱が邪魔になって、該内箱を上昇端位置に上昇させても、該内箱の扉を開けることができなくなる。そのため、該外箱の前面のうち少なくとも該内箱の上昇端位置で、該内箱の扉にオーバーラップする部分に開閉自在な扉を設けることが必要になる。
【０００９】
この場合、泥棒による扉のこじ開けなどをより確実に防ぐべく、前記内箱の扉に、該外箱の扉用の上下方向に長手のカンヌキを固定し、該内箱の上昇端位置では、該カンヌキが該外箱の扉に形成した該カンヌキ用の係合部の上方に離脱し、該内箱が上昇端位置から下降したとき、該カンヌキが該係合部に係合して、該外箱の扉が閉鎖状態にロックされるようにすることが好ましい。
【００１０】
【発明の実施の形態】
本発明の実施の形態を図１から図４を参照して説明する。図１は本実施形態にかかる保管庫の内箱が下降端に位置した状態を示す説明図、図２は本実施形態の内箱が上昇端に位置した状態を示す説明図、図３は本実施形態の外箱及び内箱の両扉を開いた状態を示す説明図、図４は本実施形態のコントローラの動作を示すフローチャートである。
【００１１】
本発明の実施形態の保管庫１は、図１に示すように、金属製の外箱２と、前面に扉３１を有する、貴重品等を収納するための金属製の内箱３とからなる。外箱２は、上向きに開口し、内箱３を上方から収納自在としている。外箱２内であって、内箱３の下には、内箱３を昇降させる昇降装置４が設けられている。昇降装置４は、内箱３を支持する上下方向に伸縮するアーム４１と、アーム４１の駆動源４２とで構成されている。そして、内箱３を、昇降装置４により、図１に示す下降端位置と、図２に示す上昇端位置との間で、昇降させるようにしている。
【００１２】
ここで、下降端位置は、内箱３の上部が外箱２の上方に露出した状態になるように、また、上昇端位置は、内箱３の下部が外箱２に収納された状態になるように、それぞれ設定されている。そのため、内箱３の昇降ストロークは比較的短く、昇降装置４の小型化を図れる。
【００１３】
また、内箱３の上昇端位置で内箱３の前面の扉３１にオーバーラップする外箱２の前面部分、即ち、外箱２の前面上部には、両開きの扉２１が形成されている。扉２１には、一対の取手２２が設けられている。また、一方の扉２１ａの開放端縁の中央部には、他方の扉２１ｂに向かって延びる突部２３が形成されている。また、他方の扉２１ｂの開放端縁には、扉２１ａに向かって延び、突部２３を挟むように形成された一対の突部２４、２５が形成されている。これら突部２３，２４，２５には、後述するカンヌキ３４の係合部となる上下方向に貫通する挿入孔２６がそれぞれ形成されており、扉２１の閉鎖状態で全ての突部２３，２４，２５の挿入孔２６が上下に連続する。
【００１４】
内箱３の前面の扉３１は、両開きに構成されている。そして、扉３１の一方の扉３１ａの前面の開放端部には、他方の扉３１ｂの前面の開放端部に重なる、上下方向に長手のオーバーラップ片３２が設けられている。オーバーラップ片３２の上部には、前方に突出する突部３３が形成されている。突部３３の底面からは、下方に向かって延びる上下方向に長手のカンヌキ３４が形成されている。カンヌキ３４は、内箱３が図２に示す上昇端位置から下降するとき、挿入孔２６に挿入される。これにより、扉２１は、開放不能となり、扉３１も開放不能となる。また、扉３１には、錠３５が設けられている。
【００１５】
また、外箱２には、昇降装置４を制御するコントローラ５が設けられている。コントローラ５は、外箱２の前面に露出する上昇スイッチ５１と下降スイッチ５２とからなる操作部、及び使用者が暗証番号を入力するキースイッチ５３を備えている。キースイッチ５３は、操作部の上昇スイッチ５１の操作を無効化する操作制限手段の入力部として機能し、キースイッチ５３から正しい暗証番号を入力したときにのみ、操作部の上昇スイッチ５１が有効化されるようにしている。また、コントローラ５は、昇降装置４へ内箱３の上昇または下降の指令信号を送信できるように、昇降装置４の駆動源４２と有線により構成された通信手段（図示しない）により接続されている。
【００１６】
また、外箱２の底面には、矩形状の台板６が設けられている。台板６は、保管庫１が設置されている部屋の扉や窓の幅よりも、大きく形成されている。これにより、泥棒が保管庫１をそのまま外に持ち運ぼうとしても、台板６が部屋の扉や窓に引っかかるため、本実施形態の保管庫１は、より盗難が困難となり、セキュリティ性を向上することができる。
【００１７】
コントローラ５による昇降装置４の制御は、図４に示す如く行われる。これを詳述するに、正しい暗証番号をキースイッチ５３から入力し（ＳＴＥＰ１）、上昇スイッチ５１がＯＮされると（ＳＴＥＰ２）、コントローラ５に内蔵するタイマの計時動作を開始し（ＳＴＥＰ３）、上昇スイッチ５１のＯＮ時点から所定の設定時間が経過したところで（ＳＴＥＰ４）、昇降装置４による内箱３の上昇動作を開始させる（ＳＴＥＰ５）。なお、所定の設定時間は、使用者が自由に設定できるようにしてもよい。この場合、例えば、内箱３内に設定時間の設定操作部を設けるなどすればよい。
【００１８】
このようにして内箱３が上昇されて上昇端位置に到達すると、カンヌキ３４が挿入孔２６の上方へ離脱する。これにより、扉３１とオーバーラップしていた扉２１は開閉自在となり、錠３５の解錠操作が行える状態となる。そして、錠３５を解錠すると、図３に示すように、扉３１は開閉自在となる。
【００１９】
また、下降スイッチ５２がＯＮされると（ＳＴＥＰ６）、コントローラ５は、直ちに昇降装置４による内箱３の下降動作を開始させる（ＳＴＥＰ７）。そして、内箱３が、図２に示す上昇端位置から下降すると、カンヌキ３４も共に下降し、カンヌキ３４は挿入孔２６に挿入される。こうして、図１に示すように、内箱３は、下降端位置まで下降し、扉２１は、カンヌキ３４によりロックされる。
【００２０】
本実施形態の保管庫１によれば、扉３１が外箱２で覆われているため、泥棒がバール等で扉３１をこじ開けることは困難である。また、内箱３が下降端に位置している場合、カンヌキ３４は、挿入孔２６に挿入され、扉２１はロックされる。これにより、泥棒による扉２１のこじ開けを確実に防ぐことができる。
【００２１】
また、泥棒は、暗証番号をキースイッチ５３から入力した後、上昇スイッチ５１により、内箱３を上昇させなければならない。そして、上昇スイッチ５１により内箱３の上昇の指示を行っても、コントローラ５に内蔵されたタイマ機能により、所定の設定時間を経過しなければ、昇降装置４は作動せず、内箱３は上昇しない。ここで、上記設定時間がどれだけの時間かは泥棒には不明である。したがって、泥棒は、保管庫１を解錠するにあたって、必ず、不明の待機時間に直面し、正しく暗証番号を入力しなかったのではないかとの考えに至り、繰り返し、キースイッチ５３による暗証番号の入力を試みる。しかしながら、所定時間を経過するまで、昇降装置４は作動せず、正しい暗証番号が分からないと思いこんだ泥棒は、盗みをあきらめるようになる。
【００２２】
なお、本実施形態においては、操作制限手段として、キースイッチ５３から正しい暗証番号を入力しなければ、上昇スイッチ５１の操作を無効とするものを用いているが、本発明は、これに限られず、たとえば、鍵を用いて、外箱２の前面に設けた鍵穴に差し込み、解錠しない限り、上昇スイッチ５１の操作が無効となるようなものでもよい。
【図面の簡単な説明】
【図１】本実施形態にかかる保管庫の内箱が下降端に位置した状態を示す説明図。
【図２】本実施形態の内箱が上昇端に位置した状態を示す説明図。
【図３】本実施形態の外箱及び内箱の両扉を開いた状態を示す説明図。
【図４】本実施形態のコントローラの動作を示すフローチャート。
【符号の説明】
１…保管庫、  ２…外箱、  ２１…扉、  ２２…取手、  ２３，２４，２５…突部、  ２６…挿入孔、  ３…内箱、  ３１…扉、  ３２…オーバーラップ片、  ３３…突部、  ３４…カンヌキ、  ４…昇降装置、  ５…コントローラ、  ５１…上昇スイッチ、  ５２…下降スイッチ、  ５３…キースイッチ、  ６…台板。
【図１】
2004324175.tif 000003
【図２】
2004324175.tif 000004
【図３】
2004324175.tif 000005
【図４】
2004324175.tif 000006